(57)【特許請求の範囲】
【請求項１】
機体の前方に刈取部が配置され、前記機体の左右方向の一側に脱穀部が配置されるコンバインにおいて、
前記脱穀部が配置された側の刈取部の端部を脱穀部よりも外側に突出し、
前記刈取部を覆うカバーを設け、
前記カバーを刈取部を構成する搬送装置の上方に配置して刈取作業時の粉塵の飛散を抑制する上部カバーと、前記刈取部の脱穀部よりも外側に突出した側の側部を覆う脱穀部側端部カバーとにより構成し、
前記刈取部の脱穀部よりも外側に突出した部分の後側に刈取部の後方を照らす後照灯を配置し、
前記後照灯は、前記脱穀部側端部カバーの内側の脱穀部側で、かつ前記上部カバーの下側で、前記上部カバーにより覆われた刈取部の内部に配置にされており、
前記後照灯の取付位置は、機体後方を確認するために前記刈取部の脱穀部よりも外側に突出した側に固定されたバックミラーの近傍の位置とした
ことを特徴とするコンバイン。
【発明の詳細な説明】
【技術分野】
【０００１】
本発明は、刈取部から機体の側方を照らす後照灯を有するコンバインの技術に関する。
【背景技術】
【０００２】
従来、夜間でも刈取作業を行うことができるように、照明器具を備えたコンバインは公知である。例えば、特許文献１に記載の如くである。
【０００３】
特許文献１に記載のコンバインは、刈取部の両側部に、刈取部の前方を照らす前照灯及び刈取部の側方を照らす側照灯が設けられている。コンバインの操縦者は、前照灯及び側照灯によってコンバインの刈取部前方及び側方の圃場の状態や刈取りの状態を確認しながら刈取作業を行うことができる。
【０００４】
しかし、特許文献１に記載のコンバインの前照灯及び側照灯は、刈取部後方の機体や圃場を十分な照度で照らすことができない。このため、脱穀部側方の圃場を照らすためには、側照灯の照射方向を後方に変更した上で、側照灯を刈取部から突出させる必要がある。つまり、側照灯を刈取部から突出させるための部品が別途必要であり、製造コストが増大する点で不利であった。
【先行技術文献】
【特許文献】
【０００５】
【特許文献１】特開２００８−１１８９６９号公報
【発明の概要】
【発明が解決しようとする課題】
【０００６】
本発明の目的は、機体から突出することなく脱穀部側方の圃場を照らすことができる後照灯を具備するコンバインを提供することである。
【課題を解決するための手段】
【０００７】
本発明の解決しようとする課題は以上の如くであり、次にこの課題を解決するための手段を説明する。
【０００８】
請求項１においては、機体の前方に刈取部が配置され、前記機体の左右方向の一側に脱穀部が配置されるコンバインにおいて、前記脱穀部が配置された側の刈取部の端部を脱穀部よりも外側に突出し、前記刈取部を覆うカバーを設け、前記カバーを刈取部を構成する搬送装置の上方に配置して刈取作業時の粉塵の飛散を抑制する上部カバーと、前記刈取部の脱穀部よりも外側に突出した側の側部を覆う脱穀部側端部カバーとにより構成し、前記刈取部の脱穀部よりも外側に突出した部分の後側に刈取部の後方を照らす後照灯を配置し、前記後照灯は、前記脱穀部側端部カバーの内側の脱穀部側で、かつ前記上部カバーの下側で、前記上部カバーにより覆われた刈取部の内部に配置にされており、前記後照灯の取付位置は、機体後方を確認するために前記刈取部の脱穀部よりも外側に突出した側に固定されたバックミラーの近傍の位置としたものである。
【発明の効果】
【０００９】
本発明の効果として、以下に示すような効果を奏する。
【００１０】
請求項１によれば、後照灯が刈取部とともに脱穀部よりも圃場側に突出して配置されるので、機体から突出した取付部を設けることなく脱穀部側方の圃場を照らすことができるのである。
【００１１】
特に、夜間の刈取作業時において、分草杆の側方への張り出し状態（分草の状態）や逆回り刈取作業時の刈取状態の確認だけでなく、手扱作業や穀稈の詰まりが発生した場合の除去作業の作業性を向上させることができる。
【００１２】
また、後照灯は、脱穀部側端部カバーの内側の脱穀部側で、かつ上部カバーの下側で、上部カバーにより覆われた刈取部の内部に配置にされているので、後照灯が風雨に直接さらされることがないのである。従って、後照灯の汚れや破損を低減しつつ、脱穀部側方の圃場を照らすことができるのである。
また、後照灯の取付位置をバックミラーの近傍の位置としたので、バックミラーの鏡面の方向と、略同一の方向を照らすことができる。従って、バックミラーの視野である脱穀部側方の圃場を効率的に照らすことができるのである。
【図面の簡単な説明】
【００１３】
【図１】本発明の実施の一形態に係るコンバインの側面図。
【図２】本発明の実施の一形態に係るコンバインの平面図。
【図３】本発明の実施の一形態に係る刈取部の概略側面図。
【図４】本発明の実施の一形態に係る刈取部の平面図における部分断面図。
【図５】本発明の実施の一形態に係る刈取部の脱穀部側端部の後面図。
【図６】本発明の実施の一形態に係る刈取部の左側バックミラー及び後照灯を示す左後方からの斜視図。
【図７】本発明の実施の一形態に係る後照灯の照射範囲を示す平面図。
【発明を実施するための形態】
【００１４】
まず、本発明の一実施形態に係る６条刈りコンバインの全体構成について、図１から図２を用いて説明する。本実施形態においては、６条刈りコンバインについて説明するが、本発明はこれに限るものではなく、その他の条数（例えば、４条刈、７条刈、８条刈等）のコンバインにも適用可能である。なお、以下の説明では矢印Ｆ方向を前方向、矢印Ｒ方向を右方向、矢印Ｕ方向を上方向として前後方向、左右方向、上下方向を規定する。
【００１５】
図１及び図２に示すように、コンバイン１は、走行部２、刈取部３、脱穀部４、選別部５、穀粒貯溜部６、排藁処理部７及び操縦部８を備える。コンバイン１は、動力をエンジン９から走行部２、刈取部３、脱穀部４、選別部５、穀粒貯溜部６及び排藁処理部７に、トランスミッションを含む動力伝達系を介して伝達し、これらの各部を駆動させる。
【００１６】
走行部２は、機体１０を走行させるものである。走行部２は、機体１０の下部に配置される。走行部２は、左右一対のクローラを有するクローラ式走行装置２１を具備する。走行部２は、機体１０をクローラ式走行装置２１により走行させる。
【００１７】
刈取部３は、圃場の穀稈を刈り取るものである。刈取部３は、機体１０の最も前方に昇降可能に設けられる。刈取部３は、刈取フレーム３１（図３参照）に分草具３２、引起装置３３、掻込装置３４、切断装置３５、及び搬送装置３６が具備される。刈取部３は、圃場の穀稈を分草具３２により分草し、分草後の穀稈を引起装置３３により引き起こす。引起後の穀稈を掻込装置３４により掻き込んで、搬送装置３６により後方へ搬送しつつ、切断装置３５により切断する。切断後の穀稈を搬送装置３６により脱穀部４に向けてさらに後方へ搬送する。
【００１８】
脱穀部４は、刈り取られた穀稈を脱穀するものである。脱穀部４は、機体１０の左方、すなわち刈取部３の左後方に配置される。脱穀部４は、フィードチェン４１（図１参照）、図示しない扱胴を具備する。脱穀部４は、刈取部３から搬送されてきた刈取後の穀稈をフィードチェン４１により受け継いで後方へ搬送し、その搬送中の穀稈を扱胴により脱穀し、脱穀後の処理物を選別部５に向けて下方へ漏下させる。
【００１９】
選別部５は、脱穀された処理物から穀粒を選別するものである。選別部５は、機体１０の左方であって脱穀部４の下方に配置される。選別部５は、図示しない揺動選別装置、風選別装置及び穀粒搬送装置を具備する。選別部５は、脱穀部４から落下してきた処理物を、揺動選別装置により揺動選別し、揺動選別後のものを風選別装置により風選別し、風選別後のもののうち、穀粒を穀粒搬送装置により穀粒貯溜部６に向けて右側方へ搬送し、藁屑や塵埃などを風選別装置により後方へ飛ばして機体１０の外部へ排出する。
【００２０】
穀粒貯溜部６は、選別された穀粒を貯溜するものである。穀粒貯溜部６は、機体１０の右方に配置される。穀粒貯溜部６は、グレンタンク６１及び穀粒排出装置６２を具備する。穀粒貯溜部６は、選別部５から搬送されてきた穀粒をグレンタンク６１により貯溜し、その貯溜している穀粒を穀粒排出装置６２によりグレンタンク６１から機外に排出する。
【００２１】
排藁処理部７は、脱穀後の穀稈を切断処理等するものである。排藁処理部７は、機体１０の後側に配置される。排藁処理部７は、排藁搬送装置７１及び排藁切断装置７２を具備する。排藁処理部７は、脱穀部４から搬送されてきた脱穀済みの排稈を排藁として排藁搬送装置７１により後方へ搬送して機体１０の外部へ排出し、又は排藁切断装置７２へ搬送し、排藁切断装置７２により切断した後に機体１０の外部へ排出する。
【００２２】
操縦部８は、操縦者がコンバイン１を操縦するためのものである。操縦部８は、機体１０の右方、すなわち、刈取部３の右後方に配置される。操縦部８は、操縦席８１や、ステアリングハンドル８２、キャビン８３、図示しない操作パネルなどを有して、操縦席８１やステアリングハンドル８２、操作パネルなどをキャビン８３により覆い、操縦席８１に着座する操縦者がステアリングハンドル８２や操作パネルに配置された操作レバーや操作スイッチ類により各部の装置を操作することができるように構成される。
【００２３】
こうして、コンバイン１は、操縦部８における操作具類の操作に応じて、動力をエンジン９から操縦部８を除く前記各部に伝達し、機体１０を走行部２により走行させながら、圃場の穀稈を刈取部３により刈り取って、刈取後の穀稈を脱穀部４により脱穀し、脱穀後の処理物を選別部５により選別して、選別後の穀粒を穀粒貯溜部６に貯溜する一方、脱穀後の排藁を排藁処理部７により任意に処理して機体１０の外部へ排出することができるようになっている。
【００２４】
次に、図３及び図４を用いて刈取部３の構成について詳細に説明する。
【００２５】
図３に示すように、刈取部３は、刈取フレーム３１、分草具３２、引起装置３３、掻込装置３４、切断装置３５、搬送装置３６と、カバー３７、左側バックミラー３８及び後照灯３９等を備える。
【００２６】
刈取フレーム３１は、分草具３２や前記各装置を支持して刈取部３の本体を構成するものである。刈取フレーム３１は、刈取入力パイプ３１ａ、縦伝動パイプ３１ｂ、横伝動パイプ３１ｃ、分草フレーム３１ｄ、駆動パイプ３１ｅ、引起縦伝動パイプ３１ｆ、引起横伝動パイプ３１ｇ、引起駆動パイプ３１ｈ及び連結フレーム３１ｉから構成される。
【００２７】
刈取入力パイプ３１ａは、その軸線方向を機体１０の左右方向として、機体１０の左前部に回動可能に設けられる。縦伝動パイプ３１ｂは、その軸線方向を刈取入力パイプ３１ａの軸線方向に対して直交方向として、刈取入力パイプ３１ａの右端部から前斜下方へ延出される。横伝動パイプ３１ｃは、その軸線方向を左右方向として、縦伝動パイプ３１ｂの延出端部から左右方向へ延出される。この際、図４に示すように、横伝動パイプ３１ｃは、刈取部３の後方に配置される脱穀部４よりも左方向に突出するように構成される。すなわち、刈取部３は、脱穀部側端部が脱穀部４よりも左方に突出するように構成される。
【００２８】
図３に示すように、複数の分草フレーム３１ｄ・３１ｄ・・は、その軸線方向を概ね前後方向として、横伝動パイプ３１ｃから前方へ延出される。複数の分草フレーム３１ｄ・３１ｄ・・は、左右方向に適宜の間隔ごとに平行に並べられる。駆動パイプ３１ｅは、その軸線方向を左右方向として、左右最外側に位置する分草フレーム３１ｄ・３１ｄの間に横架される。駆動パイプ３１ｅは、横伝動パイプ３１ｃの前斜下方に位置して、当該横伝動パイプ３１ｃと平行に並べられる。
【００２９】
引起縦伝動パイプ３１ｆは、その軸線方向を横伝動パイプ３１ｃの軸線方向に対して直交方向として、横伝動パイプ３１ｃの左端部（脱穀部側端部）から前斜上方へ延出される。連結フレーム３１ｉは、その軸線方向を横伝動パイプ３１ｃの軸線方向に対して直交方向として、横伝動パイプ３１ｃの右端部から前斜上方へ延出される。すなわち、引起縦伝動パイプ３１ｆは、脱穀部４よりも左方向に突出する刈取部３の脱穀部側端部を構成する。
【００３０】
引起横伝動パイプ３１ｇは、その軸線方向を左右方向として、引起縦伝動パイプ３１ｆの延出端部（上端）と連結フレーム３１ｉの延出端部（上端）との間に横架される。複数の引起駆動パイプ３１ｈ・３１ｈ・・は、その軸線方向を概ね上下方向として、引起横伝動パイプ３１ｇから前方へ延出される。複数の引起駆動パイプ３１ｈ・３１ｈ・・は、左右方向に所定間隔ごとに平行に並べられる。
【００３１】
連結フレーム３１ｉは、その軸線方向を概ね前後方向として、引起横伝動パイプ３１ｇの左右中途部から後方へ延出される。連結フレーム３１ｉは、その延出端部で縦伝動パイプ３１ｂの刈取入力パイプ３１ａ側に連結される。
【００３２】
分草具３２は、圃場の穀稈を一条ごとに分離（分草）するものである。分草具３２は、本実施形態において７つの分草板を具備する（図２参照）。各分草板は、それぞれ先端が細くなるように形成される。各分草板は、その先端が前方を向くように、複数の分草フレーム３１ｄ・３１ｄ・・の前端部に取り付けられる。また、左側の分草フレーム３１ｄの前部より左斜め後方に向けて分草杆３２ａが設けられる。分草杆３２ａは、未刈り穀稈が走行部２に巻き込まれたり踏み倒されたりしないように分草するためのものである。分草杆３２ａは、機体側部に沿った収納位置と側方へ張り出した作業位置とに位置調整可能に構成されている。分草杆３２ａは、刈取作業時において張り出し位置とされ未刈り穀稈を分草し、作業終了後の走行時やコンバイン１の格納時等では収納位置とされる。
【００３３】
引起装置３３は、分草後の穀稈を引き起こすものである。引起装置３３は、本実施形態においてタイン付チェン３３ａを回転駆動可能に支持する引起しケース３３ｂを６つ具備する。複数の引起しケース３３ｂ・３３ｂ・・は、それぞれ分草具３２の後方に前低後高の傾斜状に配置されて、左右方向に適宜の間隔ごとに並べられる。複数の引起しケース３３ｂ・３３ｂ・・は、複数の分草フレーム３１ｄ・３１ｄ・・と複数の引起駆動パイプ３１ｈ・３１ｈ・・との間に位置して、これらに支持される。
【００３４】
掻込装置３４は、左右一対の星形状の掻込輪、左右一対の突起付きベルト等を具備し、引起装置３３により引き起こされた穀稈の株元を掻き込むものである。複数の掻込装置３４・３４・・は、それぞれ引起装置３３の後方に前低後高の傾斜状に配置されて、左右方向に適宜の間隔ごとに並べられる。
【００３５】
切断装置３５は、複数の掻込装置３４・３４・・によって掻き込まれた６条分の穀稈を刈刃３５ａによって株元側で切断するものである。切断装置３５は、複数の掻込装置３４・３４・・の下方に配置され、前低後高の傾斜状に設けられる。
【００３６】
搬送装置３６は、切断装置３５により株元が切断された穀稈を脱穀部４に搬送するものである。搬送装置３６は、切断装置３５の後上方に配置される。搬送装置３６は、下部搬送装置３６ａ、上部搬送装置３６ｂ、縦搬送装置３６ｃ、補助搬送装置３６ｄ及び穂先搬送装置３６ｅを備える。刈り取られた穀稈は、株元を下部搬送装置３６ａ、縦搬送装置３６ｃ及び補助搬送装置３６ｄによって脱穀部４に挟持搬送される。また穀稈の穂先は、穂先搬送装置３６ｅによって脱穀部４に係止搬送される。
【００３７】
カバー３７は刈取部３の各装置を覆うものである。カバー３７は、端部カバー３７ａと上部カバー３７ｂとを具備する。端部カバー３７ａは、刈取部３の左右両側の側部を覆うように配置される。上部カバー３７ｂは、刈取部３の左方に配置される搬送装置３６の上方に配置される。これにより、刈取作業時の粉塵の飛散を抑制することができる。
【００３８】
次に、図３から図６を用いて、左側バックミラー３８及び後照灯３９について説明する。
【００３９】
左側バックミラー３８は、操縦部８から機体１０の左側後方を確認するためのものである。図３に示すように、左側バックミラー３８は、ポール３８ａとミラー３８ｂとから構成される。
【００４０】
図４及び図５に示すように、ポール３８ａは、一側端部（下端部）が右方に屈曲されたパイプ状部材から構成される。ポール３８ａは、脱穀部側（左側）端部カバー３７ａの右側（刈取部３内）であって、引起縦伝動パイプ３１ｆの左方に配置される。つまり、左側バックミラー３８は、脱穀部４よりも左方向に突出するように構成される刈取部３の脱穀部側端部に配置される。ポール３８ａの下端は、引起縦伝動パイプ３１ｆに固定される。また、ポール３８ａの上下途中部は、接続ブラケット３８ｃを介して引起横伝動パイプ３１ｇに固定される。ポール３８ａの他側端部（上端部）は、上部カバー３７ｂに形成される孔に挿通され、上部カバー３７ｂの上方に突出している。
【００４１】
図５及び図６に示すように、ミラー３８ｂは、略矩形状の鏡から構成される。ミラー３８ｂは、鏡面部分が後方に向くようにポール３８ａの上端部に配置される。ミラー３８ｂは、ポール３８ａを回転軸として回転可能にポール３８ａに支持される。これにより、操縦部８の操縦者がミラー３８ｂを介して機体１０の左側後方を視認可能に構成される。
【００４２】
後照灯３９は、刈取部３の左後方及び脱穀部４の左側方を照らすものである。図４から図６に示すように、後照灯３９は、マルチリフレクタ式である後照灯本体３９ａと取付部３９ｂとから構成される。後照灯３９は、後照灯本体３９ａの上部に取付部３９ｂが配置される。取付部３９ｂは、後照灯本体３９ａに対して上下方向に回転可能に構成される。すなわち、後照灯３９は、取付部３９ｂを回転させることで照射方向を任意の上下位置に設定可能に構成される。
【００４３】
後照灯３９は、取付部３９ｂを介して左側バックミラー３８の接続ブラケット３８ｃに取り付けられる。これにより、後照灯３９は、左側バックミラー３８の近傍であって、脱穀部４よりも機体１０の左方向に突出するように構成される刈取部３の脱穀部側端部に配置される。また、後照灯３９は、刈取部３における脱穀部側の端部カバー３７ａの右側（脱穀部側）かつ上部カバー３７ｂの下側に配置される。つまり、後照灯３９は、脱穀部側の端部カバー３７ａ及び上部カバー３７ｂに覆われた刈取部３の内部に配置される。なお、脱穀部側の端部カバー３７ａ及び上部カバー３７ｂの後方及び下方は開放されている。このように、後照灯３９は、脱穀部４よりも左方向に突出するように構成される刈取部３の脱穀部側端部に配置して後方に向けて照らすように構成される。つまり、刈取部３の内部に配置されている後照灯３９は、刈取部３の後方及び脱穀部４の側方を照らすとともに、機体１０の左側方（脱穀部４の側方）の圃場を照らすことができる。なお、後照灯３９は、本実施形態においてマルチリフレクタ式としたが、所定の照度を満たすものであれば、発光源、配光方式等を限定するものではない。
【００４４】
以下では、図７を用いて、上記の如く構成された後照灯３９の照射範囲について説明する。
【００４５】
図７に示すように、後照灯３９によって、照射範囲Ａが照射される。後照灯３９は、脱穀部４よりも左方向に突出している刈取部３の脱穀部側端部に配置されることで、刈取部３の後方の脱穀部４よりも左方向に位置している。従って、照射範囲Ａには、刈取部３の後方の脱穀部４の入口及び補助搬送装置３６ｄからフィードチェン４１への受け継ぎ部、及び脱穀部４の左側の圃場（未刈地）が含まれている。また、後照灯３９は、左側バックミラー３８の近傍に左側バックミラー３８の鏡面部と略同一の方向を照射するように配置される。従って、照射範囲Ａは、左側バックミラー３８によって視認することができる範囲を効率よく照らすことができる。よって、夜間の作業時において、作業者は左側バックミラー３８を介して、分草杆３２ａが側方への張り出した作業位置となっているか、または収納位置となっているか、分草杆３２ａにより分草できているか、逆回り（右回り）の刈取作業時においての刈取状態や刈取作業最終時に残っている全ての条を刈り取っているか、走行部２に穀稈が巻き込まれていないか等を確認することができる。また、刈取作業だけでなく手扱作業や穀稈の詰まりが発生した場合、後照灯３９によって手元が照らされるために作業性が向上する。
【００４６】
以上の如く、機体１０の前方に刈取部３が配置され、機体１０の左右一方である左側に脱穀部４が配置されるコンバイン１において、刈取部３の脱穀部側端部が脱穀部４よりも機体１０の左右一方向に突出し、脱穀部側端部に刈取部３の後方を照らす後照灯３９が配置されるものである。このように構成することにより、後照灯３９が刈取部３とともに脱穀部４よりも圃場側に突出して配置される。従って、機体１０から突出することなく脱穀部４の側方の圃場を照らすことができる。特に、夜間の刈取作業時において、分草杆の側方への張り出し状態（分草の状態）や逆回り刈取作業時の刈取状態の確認だけでなく、手扱作業や穀稈の詰まりが発生した場合の除去作業の作業性を向上させることができる。
【００４７】
また、後照灯３９は、刈取部３の脱穀部側の端部カバー３７ａの脱穀部側である右側かつ刈取部３の上部カバー３７ｂの下側であって、左側バックミラー３８の近傍に配置されるものである。このように構成することにより、後照灯３９が風雨に直接さらされることがない。従って、後照灯３９の汚れや破損を低減しつつ、脱穀部４の側方の圃場を照らすことができる。また、左側バックミラー３８の近傍から左側バックミラー３８の鏡面の方向と略同一の方向を照らすことができる。従って、左側バックミラー３８の視野である脱穀部４の側方の圃場を効率的に照らすことができる。
【符号の説明】
【００４８】
１    コンバイン
３    刈取部
４    脱穀部
１０    機体
３８    バックミラー
３９    後照灯
【図１】
0005921813.tif 000002
【図２】
0005921813.tif 000003
【図３】
0005921813.tif 000004
【図４】
0005921813.tif 000005
【図５】
0005921813.tif 000006
【図６】
0005921813.tif 000007
【図７】
0005921813.tif 000008